(57)【要約】【課題】取出口の蓋を指で押して物体を取り出す際の安全性を向上させることが可能な、筐体装置、及び自動取引装置を提供する。【解決手段】開口部が設けられている筐体と、前記筐体の内部であって前記開口部に対応する位置に設けられる、物体を取り出すための物体取出口と、を備え、前記物体取出口は、利用者の指で揺動可能な物体取出口蓋を有し、前記開口部は、前記筐体に含まれる上ガイド面および下ガイド面により形成され、前記下ガイド面は、前記筐体の外側から前記筐体の内側へ向けて低くなるように傾斜している、筐体装置。【選択図】図４
2015215784.tif 000002
【特許請求の範囲】
【請求項１】
開口部が設けられている筐体と、
前記筐体の内部であって前記開口部に対応する位置に設けられる、物体を取り出すための物体取出口と、
を備え、
前記物体取出口は、利用者の指で揺動可能な物体取出口蓋を有し、
前記開口部は、前記筐体に含まれる上ガイド面および下ガイド面により形成され、
前記下ガイド面は、前記筐体の外側から前記筐体の内側へ向けて低くなるように傾斜している、筐体装置。
【請求項２】
前記物体取出口は、前記筐体の内側における前記開口部の端部に対応する位置に設けられる、請求項１に記載の筐体装置。
【請求項３】
前記物体取出口の底部は、前記下ガイド面よりも低い位置に設けられる、請求項１または２に記載の筐体装置。
【請求項４】
前記下ガイド面の傾斜角は一定である、請求項１〜３のいずれか一項に記載の筐体装置。
【請求項５】
前記物体取出口の底部は、前記開口部から前記物体取出口の内側へ向けて低くなるように傾斜している第１の面、および前記第１の面に隣接する第２の面を含む、請求項１〜４のいずれか一項に記載の筐体装置。
【請求項６】
開口部が設けられている筐体と、
前記筐体の内部であって前記開口部に対応する位置に設けられる、投入された物体を取り出すための物体取出口と、
を備え、
前記物体取出口は、利用者の指で揺動可能な物体取出口蓋を有し、
前記物体取出口蓋の底部の形状と、前記物体取出口の底部の形状とは、互いに接触しないような凹凸の対応関係を有する、筐体装置。
【請求項７】
前記物体取出口蓋の底部および前記物体取出口の底部は、互いに入れ子となる形状を有する、請求項６に記載の筐体装置。
【請求項８】
前記筐体装置は、前記物体取出口蓋を支持する回転軸をさらに備え、
前記回転軸から前記物体取出口蓋の底部までの距離は、前記回転軸から前記物体取出口の底部までの距離よりも長い、請求項６または７に記載の筐体装置。
【請求項９】
前記物体取出口蓋の底部は、複数の凸部を含み、
前記物体取出口の底部は、前記物体取出口蓋が前記物体取出口の内側へ揺動する際に前記複数の凸部が通過可能な、前記複数の凸部に対応する複数の溝を含む、請求項６〜８のいずれか一項に記載の筐体装置。
【請求項１０】
前記筐体装置は、前記物体取出口蓋を支持する回転軸をさらに備え、
前記物体取出口の底部は、前記開口部から前記物体取出口の内側へ向けて低くなるように傾斜している第１の面、および前記第１の面に隣接する第２の面を含み、
前記回転軸から前記第２の面までの距離は、前記回転軸から前記物体取出口蓋の底部までの距離よりも長い、請求項６または７に記載の筐体装置。
【請求項１１】
前記物体取出口蓋の底部は、複数の凸部を含み、
前記物体取出口の底部は、前記複数の凸部に対応する複数の凹部を含む、請求項１０に記載の筐体装置。
【請求項１２】
前記開口部は、前記筐体に含まれる上ガイド面および下ガイド面により形成され、
前記下ガイド面は、前記筐体の外側から前記筐体の内側へ向けて低くなるように傾斜している、請求項６〜１１のいずれか一項に記載の筐体装置。
【請求項１３】
開口部が設けられている筐体と、
前記筐体の内部であって前記開口部に対応する位置に設けられる、投入された物体を取り出すための物体取出口と、
を備え、
前記物体取出口は、利用者の指で揺動可能な物体取出口蓋を有し、
前記開口部は、前記筐体に含まれる上ガイド面および下ガイド面により形成され、
前記下ガイド面は、前記筐体の外側から前記筐体の内側へ向けて低くなるように傾斜している、自動取引装置。
【請求項１４】
開口部が設けられている筐体と、
前記筐体の内部であって前記開口部に対応する位置に設けられる、投入された物体を取り出すための物体取出口と、
を備え、
前記物体取出口は、利用者の指で揺動可能な物体取出口蓋を有し、
前記物体取出口蓋の底部の形状と、前記物体取出口の底部の形状とは、互いに接触しないような凹凸の対応関係を有する、自動取引装置。
【発明の詳細な説明】
【技術分野】
【０００１】
本発明は、筐体装置、及び自動取引装置に関する。
【背景技術】
【０００２】
従来、例えば自動取引装置や自動販売機などにおいて、装置から排出される硬貨などの物体を利用者が指で取り出すための取出口が設けられている。
【０００３】
例えば、特許文献１に記載の自動販売機は、コイン投入口から投入されたコインを受け入れるコイン機構を備え、そして、コイン機構から払出した釣銭を、前面に釣銭取出扉を備えた釣銭返却口へ導く。
【先行技術文献】
【特許文献】
【０００４】
【特許文献１】特開２００４−２１８０８号公報
【発明の概要】
【発明が解決しようとする課題】
【０００５】
しかしながら、特許文献１に記載の技術では、釣銭返却口から利用者がコインを取り出す場面における安全性が低い。例えば、上記の技術では、利用者が釣銭取出扉を指で押して釣銭返却口からコインを取り出す際に、釣銭返却口に対して利用者の指がほぼ水平に差し込まれ得るので、釣銭取出扉の先端と利用者の指とがなす角度が大きくなる可能性がある。このため、利用者が釣銭返却口からコインを取り出す途中において、釣銭取出扉の先端が利用者の指に食い込む恐れがある。
【０００６】
そこで、本発明は、上記問題に鑑みてなされたものであり、本発明の目的とするところは、取出口の蓋を指で押して物体を取り出す際の安全性を向上させることが可能な、新規かつ改良された筐体装置、及び自動取引装置を提供することにある。
【課題を解決するための手段】
【０００７】
上記課題を解決するために、本発明のある観点によれば、開口部が設けられている筐体と、前記筐体の内部であって前記開口部に対応する位置に設けられる、物体を取り出すための物体取出口と、を備え、前記物体取出口は、利用者の指で揺動可能な物体取出口蓋を有し、前記開口部は、前記筐体に含まれる上ガイド面および下ガイド面により形成され、前記下ガイド面は、前記筐体の外側から前記筐体の内側へ向けて低くなるように傾斜している、筐体装置が提供される。
【０００８】
前記物体取出口は、前記筐体の内側における前記開口部の端部に対応する位置に設けられてもよい。
【０００９】
前記物体取出口の底部は、前記下ガイド面よりも低い位置に設けられてもよい。
【００１０】
前記下ガイド面の傾斜角は一定であってもよい。
【００１１】
前記物体取出口の底部は、前記開口部から前記物体取出口の内側へ向けて低くなるように傾斜している第１の面、および前記第１の面に隣接する第２の面を含んでもよい。
【００１２】
また、上記課題を解決するために、本発明の別の観点によれば、開口部が設けられている筐体と、前記筐体の内部であって前記開口部に対応する位置に設けられる、投入された物体を取り出すための物体取出口と、を備え、前記物体取出口は、利用者の指で揺動可能な物体取出口蓋を有し、前記物体取出口蓋の底部の形状と、前記物体取出口の底部の形状とは、互いに接触しないような凹凸の対応関係を有する、筐体装置が提供される。
【００１３】
前記物体取出口蓋の底部および前記物体取出口の底部は、互いに入れ子となる形状を有してもよい。
【００１４】
前記筐体装置は、前記物体取出口蓋を支持する回転軸をさらに備え、前記回転軸から前記物体取出口蓋の底部までの距離は、前記回転軸から前記物体取出口の底部までの距離よりも長くてもよい。
【００１５】
前記物体取出口蓋の底部は、複数の凸部を含み、前記物体取出口の底部は、前記物体取出口蓋が前記物体取出口の内側へ揺動する際に前記複数の凸部が通過可能な、前記複数の凸部に対応する複数の溝を含んでもよい。
【００１６】
前記筐体装置は、前記物体取出口蓋を支持する回転軸をさらに備え、前記物体取出口の底部は、前記開口部から前記物体取出口の内側へ向けて低くなるように傾斜している第１の面、および前記第１の面に隣接する第２の面を含み、前記回転軸から前記第２の面までの距離は、前記回転軸から前記物体取出口蓋の底部までの距離よりも長くてもよい。
【００１７】
前記物体取出口蓋の底部は、複数の凸部を含み、前記物体取出口の底部は、前記複数の凸部に対応する複数の凹部を含んでもよい。
【００１８】
前記開口部は、前記筐体に含まれる上ガイド面および下ガイド面により形成され、前記下ガイド面は、前記筐体の外側から前記筐体の内側へ向けて低くなるように傾斜していてもよい。
【００１９】
また、上記課題を解決するために、本発明の別の観点によれば、開口部が設けられている筐体と、前記筐体の内部であって前記開口部に対応する位置に設けられる、投入された物体を取り出すための物体取出口と、を備え、前記物体取出口は、利用者の指で揺動可能な物体取出口蓋を有し、前記開口部は、前記筐体に含まれる上ガイド面および下ガイド面により形成され、前記下ガイド面は、前記筐体の外側から前記筐体の内側へ向けて低くなるように傾斜している、自動取引装置が提供される。
【００２０】
また、上記課題を解決するために、本発明の別の観点によれば、開口部が設けられている筐体と、前記筐体の内部であって前記開口部に対応する位置に設けられる、投入された物体を取り出すための物体取出口と、を備え、前記物体取出口は、利用者の指で揺動可能な物体取出口蓋を有し、前記物体取出口蓋の底部の形状と、前記物体取出口の底部の形状とは、互いに接触しないような凹凸の対応関係を有する、自動取引装置が提供される。
【発明の効果】
【００２１】
以上説明したように本発明によれば、取出口の蓋を指で押して物体を取り出す際の安全性を向上させることができる。
【図面の簡単な説明】
【００２２】
【図１】本発明の各実施形態に共通する自動取引装置２の外観図である。
【図２】本発明の比較例において利用者が異物を取り出す場面を示した説明図である。
【図３】本発明の第１の実施形態による異物返却機構１０‐１の断面図である。
【図４】同実施形態において利用者が異物を取り出す場面を示した説明図である。
【図５】本発明の第２の実施形態による異物返却機構１０‐２の断面図である。
【図６】図５におけるＡ−Ａ線による断面を示した説明図である。
【図７】図５におけるＢ−Ｂ線による断面を示した説明図である。
【図８】同実施形態において利用者が異物を取り出す場面を示した説明図である。
【図９】本発明の第３の実施形態による異物返却機構１０‐３の断面図である。
【図１０】図９におけるＣ−Ｃ線による断面を示した説明図である。
【図１１】同実施形態において利用者が異物を取り出す場面を示した説明図である。
【発明を実施するための形態】
【００２３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２４】
また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じて筐体１２ａおよび筐体１２ｂのように区別する。ただし、実質的に同一の機能構成を有する複数の構成要素の各々を特に区別する必要がない場合、同一符号のみを付する。例えば、筐体１２ａおよび筐体１２ｂを特に区別する必要が無い場合には、単に筐体１２と称する。
【００２５】
また、以下に示す項目順序に従って当該「発明を実施するための形態」を説明する。
１．基本構成
２．本発明の比較例
３．実施形態の詳細な説明
３−１．第１の実施形態
３−２．第２の実施形態
３−３．第３の実施形態
４．変形例
【００２６】
＜＜１．基本構成＞＞
本発明は、一例として「３−１．第１の実施形態」〜「３−３．第３の実施形態」において詳細に説明するように、多様な形態で実施され得る。最初に、各実施形態に共通する自動取引装置２の基本構成について図１を参照して説明する。図１は、自動取引装置２の外観を示した説明図である。
【００２７】
自動取引装置２は、本発明における筐体装置の一例である。自動取引装置２は、例えば金融機関の顧客による操作に基づいて金銭の取引を実行する顧客操作型端末である。この自動取引装置２は、金融機関の営業店、コンビニエンスストア、駅構内、ホテル、病院、アミューズメントパーク、飲食店、オフィスビルディングなどの多様な施設に設置される。
【００２８】
また、図１に示したように、自動取引装置２は、筐体１２、紙幣投入口２０、硬貨投入口２２、通帳投入口２４、カード投入口２６、および操作表示部２８を備える。また、自動取引装置２は、筐体１２の内側に、後述する異物返却機構１０（図示省略）を備える。
【００２９】
筐体１２は、金属製の板により形成される。また、筐体１２のうち自動取引装置２の正面側の筐体１２ｂは、例えば施錠機構を備えた扉（以下、筐体扉１２ｂとも称する）として構成される。利用者は筐体扉１２ｂを開くことにより、筐体１２の内部に設置されている金庫（図示省略）や紙葉類取扱装置（図示省略）などを引き出すことが可能である。また、図１に示したように、筐体扉１２ｂは、開口部１４を備える。
【００３０】
紙幣投入口２０は、顧客による紙幣の入金口、および顧客への紙幣の出金口としての機能を有する。この紙幣投入口２０は、上記の紙葉類取扱装置に連結されている。
【００３１】
硬貨投入口２２は、顧客による硬貨の入金口、および顧客への硬貨の出金口としての機能を有する。また、通帳投入口２４は、顧客による通帳の挿入口、および顧客への通帳の排出口としての機能を有する。また、カード投入口２６は、顧客による例えばキャッシュカードなどの挿入口および顧客へのカードの排出口としての機能を有する。
【００３２】
操作表示部２８は、操作画面を表示する表示部、および顧客操作を検出する顧客操作部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ：Ｌｉｑｕｉｄ  Ｃｒｙｓｔａｌ  Ｄｉｓｐｌａｙ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、顧客操作部としての機能は例えばタッチパネルにより実現される。なお、図１においては表示部および顧客操作部の機能が自動取引装置２において一体的に構成される例を示しているが、表示部および顧客操作部の機能は分離して構成されてもよい。
【００３３】
異物返却機構１０は、本発明における物体取出口の一例である。異物返却機構１０は、筐体扉１２ｂの内部であって、開口部１４に対応する位置に設けられる。この異物返却機構１０は、例えば紙幣投入口２０に対して利用者により誤って硬貨などの異物３０が投入された場合に、投入された異物３０を利用者に返却するための機構である。後述するように、利用者は、開口部１４に対して指を差し込むことにより、異物返却機構１０に滞留された異物３０を取り出すことが可能である。なお、異物３０は、本発明における物体の一例である。
【００３４】
＜＜２．本発明の比較例＞＞
以上、各実施形態に共通する自動取引装置２の基本構成について説明した。本発明の各実施形態は、上述した自動取引装置２に関し、特に、自動取引装置２における異物返却機構１０の構成に関する。
【００３５】
そこで、本発明の特徴を明確に示すために、まず、本発明の比較例による異物返却機構９０について説明する。
【００３６】
＜２−１．異物返却機構９０の構成＞
図２は、異物返却機構９０において利用者が異物３０を取り出す場面を示した説明図である。図２に示したように、異物返却機構９０は、異物返却口蓋９００、蓋シャフト９０２、トレイ底面９０４、開口９０８、および異物返却口９１０から構成される。なお、異物返却口９１０の位置は、自動取引装置２において開口部１４と隣接するように設置される。
【００３７】
異物返却口蓋９００は、自動取引装置２により異物返却機構９０に搬送された異物３０が自動取引装置２から外へ飛び出すことを防ぐための蓋である。この異物返却口蓋９００は、異物返却機構９０に固定的に設置されている蓋シャフト９０２により支持されている。また、異物返却口蓋９００は、蓋シャフト９０２を回転中心として、利用者の指により揺動可能である。
【００３８】
開口９０８は、異物返却機構９０の上部に設けられた穴である。自動取引装置２により分別された異物３０は、この開口９０８を介して異物返却機構９０の中へ搬送される。
【００３９】
トレイ底面９０４は、異物返却機構９０の下部に設けられた面である。このトレイ底面９０４には、開口９０８を介して搬送された異物３０が滞留する。
【００４０】
上述した異物返却機構９０において、利用者は、自動取引装置２の開口部１４から異物返却口９１０へ指を差し込み、そして、差し込んだ指で異物返却口蓋９００を異物返却機構９０の内側へ回転させることにより、トレイ底面９０４の奥へ指を差し込むことが可能である。そして、差し込んだ指で異物３０を抑えながら、図２に示したＦの方向へ指を引き抜くことにより、利用者は、異物３０を異物返却機構９０から取り出すことが可能である。
【００４１】
＜２−２．課題の整理＞
ところで、図２に示したように、異物返却機構９０では、利用者の指がトレイ底面９０４に対してほぼ水平に差し込まれるので、異物３０を取り出す際に、利用者が指を引き抜く力Ｆの方向と異物返却口蓋９００とがなす角度αが大きくなる。このため、異物返却口蓋９００の先端が利用者の指に食い込む危険性がある。特に、指の第１関節付近は少し凹んでいるので、異物返却口蓋９００の先端は当該箇所で食い込む危険性がある。
【００４２】
そこで、上記事情を一着眼点にして各実施形態による異物返却機構１０を創作するに至った。各実施形態による異物返却機構１０は、利用者が異物３０を取り出す際の安全性を向上させることが可能である。以下、各実施形態について順次詳細に説明する。
＜＜３．実施形態の詳細な説明＞＞
＜３−１．第１の実施形態＞
［３−１−１．構成］
まず、第１の実施形態による異物返却機構１０‐１の構成について説明する。図３は、異物返却機構１０‐１の構成を示した断面図である。
【００４３】
（３−１−１−１．異物返却機構１０‐１）
図３に示したように、異物返却機構１０‐１は、異物返却口蓋１００、蓋シャフト１０２、トレイ底面１０４、トレイ底斜面１０６、開口１０８、および異物返却口１１０から構成される。
【００４４】
異物返却口蓋１００は、本発明における物体取出口蓋の一例である。また、蓋シャフト１０２は、本発明における回転軸の一例である。また、トレイ底面１０４は、本発明における第２の面の一例である。なお、異物返却口蓋１００、蓋シャフト１０２、トレイ底面１０４、開口１０８、および異物返却口１１０の構成は、それぞれ本発明の比較例による異物返却口蓋９００、蓋シャフト９０２、トレイ底面９０４、開口９０８、および異物返却口９１０と概略同様である。
【００４５】
トレイ底斜面１０６は、本発明における第１の面の一例である。トレイ底斜面１０６は、異物返却機構１０‐１の外側から異物返却機構１０‐１の内側へ向けて低くなるように傾斜している。また、トレイ底斜面１０６は、異物返却機構１０‐１の内側においてトレイ底面１０４と接している。
【００４６】
また、トレイ底斜面１０６は、後述する開口部１４に含まれる下ガイド面１４２の下端以下の位置に設けられることが可能である。
【００４７】
（３−１−１−２．開口部１４）
また、図３に示したように、開口部１４は、上ガイド面１４０、および下ガイド面１４２を含む。なお、上ガイド面１４０、および下ガイド面１４２は、筐体扉１２ｂの厚みにより形成された面である。また、筐体扉１２ｂは、防犯上、十分な厚さを有している。
【００４８】
下ガイド面１４２は、図３に示したように、筐体扉１２ｂの外側から筐体扉１２ｂの内側へ向けて低くなるように傾斜している。例えば、下ガイド面１４２は平面であり、かつ、傾斜角が一定である。但し、かかる例に限定されず、下ガイド面１４２は、例えば上に凸な曲面や微小な凹凸を一部含んでいてもよい。また、下ガイド面１４２の傾斜角は一部変化していてもよい。
【００４９】
また、下ガイド面１４２の水平方向の幅の長さは、少なくとも利用者の指の幅および異物３０の幅よりも長くなるように設定される。
【００５０】
また、上ガイド面１４０と下ガイド面１４２との間の距離は、少なくとも利用者の指の太さおよび異物３０の厚さよりも大きくなるように設定される。なお、図１では、上ガイド面１４０が、下ガイド面１４２と平行になるように形成されている例を示しているが、かかる例に限定されない。例えば、上ガイド面１４０は、筐体扉１２ｂに対して垂直であってもよいし、下ガイド面１４２とは傾斜角が異なっていてもよい。
【００５１】
［３−１−２．作用］
以上、第１の実施形態の構成について説明した。次に、上記の構成による作用について説明する。
【００５２】
図４は、異物返却機構１０‐１において利用者が異物３０を取り出す場面を示した説明図である。上述したように、トレイ底面１０４は、下ガイド面１４２よりも低い位置に設けられており、かつ、下ガイド面１４２は、筐体扉１２ｂの外側から筐体扉１２ｂの内側へ向けて低くなるように傾斜している。また、筐体扉１２ｂは十分な厚みを有するので、下ガイド面１４２は、十分の長さを有する。このため、異物返却機構１０‐１に対して利用者が指を差し込む場合には、図４に示したように、利用者の指は、筐体扉１２ｂの外側から筐体扉１２ｂの内側へ向けて低くなるように強制的に傾斜して差し込まれる。従って、利用者が異物３０を取り出す際に、指を引き抜く力Ｆの方向と異物返却口蓋１００とがなす角度αは、例えば図２を参照して説明した本発明の比較例と比べて小さくなる。
【００５３】
［３−１−３．効果］
以上、図３および図４を参照して説明したように、第１の実施形態によれば、利用者が異物３０を取り出す際に、指を引き抜く力Ｆの方向と異物返却口蓋１００とがなす角度αが強制的に小さくなるので、異物返却口蓋１００の先端が利用者の指に食い込む指挟みの発生を防止することができる。このため、利用者は、異物３０を安全に取り出すことができる。
【００５４】
また、トレイ底斜面１０６、および下ガイド面１４２は筐体１２の外側から筐体１２の内側へ向けて傾斜している。このため、利用者は、トレイ底斜面１０６および下ガイド面１４２の傾斜を利用して、トレイ底面１０４に貯まっている異物３０を異物返却機構１０‐１から容易に取り出すことができる。
【００５５】
＜３−２．第２の実施形態＞
以上、第１の実施形態について説明した。上述したように、第１の実施形態では、筐体扉１２ｂの厚みにより下ガイド面１４２を形成することにより、利用者が異物３０を取り出す際の角度αを小さくさせる。
【００５６】
次に、第２の実施形態について説明する。後述するように、第２の実施形態によれば、異物返却口蓋１００の長さを本発明の比較例よりも長くすることにより、角度αを小さくさせることが可能である。
【００５７】
［３−２−１．構成］
まず、第２の実施形態による異物返却機構１０‐２の構成について説明する。図５は、異物返却機構１０‐２の構成を示した断面図である。また、図６は、図５におけるＡ−Ａ線による断面を示した説明図である。また、図７は、図５におけるＢ−Ｂ線による断面を示した説明図である。なお、異物返却機構１０‐２に含まれる構成要素は、図３に示した第１の実施形態と同様である。
【００５８】
第２の実施形態による異物返却口蓋１００の底部と、異物返却機構１０‐２のトレイ底斜面１０６およびトレイ底面１０４とは、互いに接触しないような対応関係を有する形状に形成される。例えば、異物返却口蓋１００の底部と、トレイ底斜面１０６およびトレイ底面１０４とは、互いに入れ子となる形状に形成される。
【００５９】
ここで、図６を参照して、上記の構成についてより詳細に説明する。例えば、図６に示したように、異物返却口蓋１００の底部は、複数の凸部１２０を含む。また、トレイ底斜面１０６およびトレイ底面１０４は、凸部１２０と互いに入れ子となるような複数の溝１２２を含む。なお、図６では、凸部１２０および溝１２２が５個ずつ設けられた例を示しているが、かかる例に限定されない。例えば、凸部１２０および溝１２２は、６個以上ずつ設けられてもよい。また、凸部１２０の数は、溝１２２の数よりも少なくなるように定められてもよい。
【００６０】
また、図６および図７に示したように、溝１２２の水平方向および奥行方向の長さは、異物返却口蓋１００が異物返却機構１０‐２の内側へ揺動する際に凸部１２０が溝１２２と干渉せずに通過可能なように、それぞれ設定される。
【００６１】
また、蓋シャフト１０２から異物返却口蓋１００の凸部１２０までの距離は、蓋シャフト１０２からトレイ底面１０４までの距離よりも長くなるように設定される。つまり、異物返却口蓋１００が閉じている状態において、異物返却口蓋１００の凸部１２０はトレイ底面１０４よりも深い位置に位置する。
【００６２】
例えば、図５に示したように、蓋シャフト１０２から異物返却口蓋１００の凸部１２０までの距離は、蓋シャフト１０２から異物返却機構１０‐２のトレイの下端までの距離よりも長くなるように設定されてもよい。
【００６３】
（３−２−１−１．変形例）
なお、変形例として、異物返却口蓋１００の長さは本発明の比較例（または第１の実施形態）と同様とし、かつ、蓋シャフト１０２の位置が本発明の比較例よりも深い位置に設定されることも可能である。つまり、異物返却口蓋１００が閉じている状態において、異物返却口蓋１００の凸部１２０がトレイ底面１０４よりも深く位置するように、蓋シャフト１０２の位置がより下方へ設定されてもよい。
【００６４】
［３−２−２．作用］
以上、第２の実施形態の構成について説明した。次に、上記の構成による作用について説明する。
【００６５】
図８は、異物返却機構１０‐２において利用者が異物３０を取り出す場面を示した説明図である。上述したように、異物返却口蓋１００に形成された複数の凸部１２０と、異物返却機構１０‐２のトレイ底斜面１０６およびトレイ底面１０４に形成された複数の溝１２２は、互いに入れ子となる形状を有し、かつ、蓋シャフト１０２から異物返却口蓋１００の凸部１２０までの距離が、蓋シャフト１０２からトレイ底面１０４までの距離よりも長くなるように設定される。このため、図８に示したように、利用者が異物返却機構１０‐２に指を差し込んだ際には、本発明の比較例と比べて、異物返却口蓋１００の先端は、利用者の指と、より指の先端に近い部分で接触する。従って、利用者が異物３０を取り出す際に、指を引き抜く力Ｆの方向と異物返却口蓋１００とがなす角度αは、本発明の比較例と比べて小さくなる。
【００６６】
［３−２−３．効果］
以上、図５〜図８を参照して説明したように、第２の実施形態によれば、異物返却口蓋１００の長さが本発明の比較例による異物返却口蓋９００よりも長いので、利用者が異物３０を取り出す際に、指を引き抜く力Ｆの方向と異物返却口蓋１００とがなす角度αが小さくなる。このため、仮に異物返却機構１０‐２に対して水平に近い方向から利用者の指が差し込まれたとしても、異物返却口蓋１００の先端が利用者の指に食い込む指挟みの発生を防止することができる。
【００６７】
また、利用者が異物返却機構１０‐２に指を差し込んだ際に、本発明の比較例と比べて、異物返却口蓋１００の先端は、利用者の指と、より指の先端に近い部分で接触する。このため、本発明の比較例と比べて、利用者の指の第１関節付近と異物返却口蓋１００の先端とが接触する可能性が減り、かつ、仮に指の第１関節付近と異物返却口蓋１００の先端とが接触した場合であっても、上述したように角度αが小さくなるので、異物返却口蓋１００の先端が指を押し付ける力が小さくなる。従って、本発明の比較例の課題である、指の第１関節付近において異物返却口蓋１００の先端が指に食い込む可能性を無くすことが可能になる。
【００６８】
＜３−３．第３の実施形態＞
以上、第２の実施形態について説明した。次に、第３の実施形態について説明する。まず、第３の実施形態を創作するに至った背景について説明する。
【００６９】
上述したように、第２の実施形態では、蓋シャフト１０２から異物返却口蓋１００の底部までの距離が、蓋シャフト１０２からトレイ底面１０４までの距離よりも長くなるように設定される。
【００７０】
このため、仮に、異物３０が異物返却口１１０の近くに滞留している場合には、利用者が指を異物返却機構１０‐２の中へ差し込むためには、異物返却口蓋１００で異物３０を押しのけることが必要となり、異物返却口蓋１００が開きにくくなる可能性がある。
【００７１】
後述するように、第３の実施形態によれば、利用者は異物３０を押しのけることなく、異物返却口蓋１００を開くことが可能である。
【００７２】
［３−３−１．構成］
まず、第３の実施形態による異物返却機構１０‐３の構成について説明する。図９は、異物返却機構１０‐３の構成を示した断面図である。また、図１０は、図９におけるＣ−Ｃ線による断面を示した説明図である。なお、異物返却機構１０‐３に含まれる構成要素は、図３に示した第１の実施形態と同様である。
【００７３】
第３の実施形態による異物返却口蓋１００の底部と、異物返却機構１０‐３のトレイ底斜面１０６とは、互いに入れ子となる形状に形成される。例えば、図１０に示したように、異物返却口蓋１００の底部は、複数の凸部１２０を含む。また、トレイ底斜面１０６は、凸部１２０と互いに入れ子となるような複数の凹部１２４を含む。なお、図１０では、凸部１２０および凹部１２４が５個ずつ設けられた例を示しているが、かかる例に限定されない。例えば、凸部１２０および凹部１２４は、６個以上ずつ設けられてもよい。また、凸部１２０の数は、凹部１２４の数よりも少なくなるように定められてもよい。
【００７４】
また、図９に示したように、蓋シャフト１０２からトレイ底面１０４までの距離は、蓋シャフト１０２から異物返却口蓋１００の凸部１２０までの距離よりも長くなるように設定される。つまり、トレイ底面１０４は、異物返却口蓋１００が閉じている状態において、異物返却口蓋１００の先端よりも深い位置に位置する。
【００７５】
例えば、蓋シャフト１０２からトレイ底面１０４までの距離は、蓋シャフト１０２から凸部１２０の先端までの距離よりも、異物３０の数枚分の厚さだけ大きくなるように設定されてもよい。
【００７６】
［３−３−２．作用］
以上、第３の実施形態の構成について説明した。次に、上記の構成による作用について説明する。
【００７７】
図１１は、異物返却機構１０‐３において利用者が異物３０を取り出す場面を示した説明図である。上述したように、異物返却口蓋１００に形成された複数の凸部１２０と、異物返却機構１０‐３のトレイ底斜面１０６に形成された複数の凹部１２４は、互いに入れ子となる形状を有し、かつ、蓋シャフト１０２からトレイ底面１０４までの距離は、蓋シャフト１０２から異物返却口蓋１００の底部までの距離よりも長くなるように設定される。このため、図１１に示したように、利用者が異物返却口蓋１００を異物返却機構１０‐２の内側へ揺動させた場合に、異物返却口蓋１００がトレイ底面１０４と接触せず、トレイ底面１０４よりも高い位置で回転するので、異物返却口蓋１００が異物３０と接触する可能性がほとんど無くなる。
【００７８】
また、トレイ底斜面１０６は、異物返却機構１０‐３の外側から異物返却機構１０‐３の内側へ向けて低くなるように傾斜している。このため、異物返却機構１０‐３に対して利用者が指を差し込む場合には、図１１に示したように、利用者の指は強制的に傾斜して差し込まれる。従って、利用者が異物３０を取り出す際に、指を引き抜く力Ｆの方向と異物返却口蓋１００とがなす角度αは、例えば本発明の比較例と比べて小さくなる。
【００７９】
［３−３−３．効果］
以上、図９〜図１１を参照して説明したように、第３の実施形態によれば、利用者が異物返却口蓋１００を異物返却機構１０‐３の内側へ揺動させた場合に、異物返却口蓋１００はトレイ底面１０４よりも高い位置で回転する。このため、仮に異物３０が異物返却口１１０の近くに滞留している場合であっても、利用者は異物３０を押しのけることなく、異物返却口蓋１００を開くことが可能となる。
【００８０】
［３−３−４．変形例］
なお、第３の実施形態の変形例として、トレイ底面１０４の位置をより深くし、かつ、異物返却口蓋１００の長さが第２の実施形態よりも長くなるように設定されることも可能である。かかる構成によれば、利用者が異物３０を取り出す際に、指を引き抜く力Ｆの方向と異物返却口蓋１００とがなす角度αは、第２の実施形態よりも小さくなる。このため、異物返却口蓋１００の先端が利用者の指に食い込む指挟みの発生をさらに防止することができる。
【００８１】
＜＜４．変形例＞＞
なお、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００８２】
＜４−１．変形例１＞
例えば、上述した第２の実施形態による異物返却機構１０‐２または第３の実施形態における異物返却機構１０‐３に対して、第１の実施形態における開口部１４の構成を組み合わせることも可能である。より具体的には、第２の実施形態または第３の実施形態において、開口部１４の下ガイド面１４２は、筐体扉１２ｂの外側から筐体扉１２ｂの内側へ向けて低くなるように傾斜するように形成されることが可能である。
【００８３】
この変形例１によれば、異物返却機構１０‐２または異物返却機構１０‐３に対して利用者が指を差し込む際に、利用者の指が、筐体扉１２ｂの外側から筐体扉１２ｂの内側へ向けて低くなるように強制的に傾斜して差し込まれる。従って、利用者が異物３０を取り出す際に、指を引き抜く力Ｆの方向と異物返却口蓋１００とがなす角度αが、上述した第２の実施形態または第３の実施形態と比べてさらに小さな角度となる。
【００８４】
＜４−２．変形例２＞
また、上記の説明では、各実施形態による異物返却機構１０が、自動取引装置２における異物返却機構に適用される例について説明したが、かかる例に限定されず、硬貨などの物体を利用者が指で取り出すための、蓋付きの機構部であれば適用可能である。例えば、各実施形態による異物返却機構１０は、自動取引装置における硬貨返却口、自動販売機の硬貨返却口、または遊戯装置のコイン返却口などに適用可能である。
【符号の説明】
【００８５】
２  自動取引装置
１０  異物返却機構
１２  筐体
１４  開口部
２０  紙幣投入口
２２  硬貨投入口
２４  通帳投入口
２６  カード投入口
２８  操作表示部
３０  異物
９０  異物返却機構
１００、９００  異物返却口蓋
１０２、９０２  蓋シャフト
１０４、９０４  トレイ底面
１０６  トレイ底斜面
１０８、９０８  開口
１１０、９１０  異物返却口
１２０  凸部
１２２  溝
１２４  凹部
１４０  上ガイド面
１４２  下ガイド面
【図１】
2015215784.tif 000003
【図２】
2015215784.tif 000004
【図３】
2015215784.tif 000005
【図４】
2015215784.tif 000006
【図５】
2015215784.tif 000007
【図６】
2015215784.tif 000008
【図７】
2015215784.tif 000009
【図８】
2015215784.tif 000010
【図９】
2015215784.tif 000011
【図１０】
2015215784.tif 000012
【図１１】
2015215784.tif 000013